(57)【要約】【課題】同一患者に対する薬剤であって１包あたりの分量が異なる処方を有する場合であっても効率よく分包処理を行うことができる薬剤分包機及び該薬剤分包機の制御装置を提供する。【解決手段】本発明の薬剤分包機は、入力された患者毎の処方箋データの中に、同一患者に処方される散剤であって１包あたりの分量が異なる分包データが含まれるときに当該分包データを抽出する分包データ抽出手段と、抽出した前記分包データのそれぞれの分量に基づいて、回転テーブル上の分割範囲を変更する分割範囲変更手段と、前記分割範囲に基づいて、同一回転テーブル上で異なる分量の前記散剤をそれぞれ分割し、分包紙に包装する分包手段とを具備し、前記分割範囲変更手段は、前記分割範囲を、分包データの散剤を服用される順に分包する交互分包で設定する。【選択図】図２
2010159090.tif 000002
【特許請求の範囲】
【請求項１】
入力された患者毎の処方箋データの中に、同一患者に処方される散剤であって１包あたりの分量が異なる分包データが含まれるときに当該分包データを抽出する分包データ抽出手段と、
抽出した前記分包データのそれぞれの分量に基づいて、回転テーブル上の分割範囲を変更する分割範囲変更手段と、
前記分割範囲に基づいて、同一回転テーブル上で異なる分量の前記散剤をそれぞれ分割し、分包紙に包装する分包手段とを具備し、
前記分割範囲変更手段は、前記分割範囲を、分包データの散剤を服用される順に分包する交互分包で設定することを特徴とする薬剤分包機。
【請求項２】
入力された患者毎の処方箋データの中に、同一患者に処方される散剤であって１包あたりの分量が異なる分包データが含まれるときに当該分包データを抽出する分包データ抽出手段と、
抽出した前記分包データのそれぞれの分量に基づいて、回転テーブル上の分割範囲を変更する分割範囲変更手段と、
前記分割範囲に基づいて、同一回転テーブル上で異なる分量の前記散剤をそれぞれ分割し、分包紙に包装する分包手段とを具備し、
前記分割範囲変更手段は、前記分割範囲を、分包データの散剤を服用される順に分包する交互分包、又は、分包データの散剤のうち同じ服用時間帯の散剤を服用される順に分包する連続分包の何れかを選択して設定することを特徴とする薬剤分包機。
【請求項３】
入力された患者毎の処方箋データの中に、同一患者に処方される散剤であって１包あたりの分量が異なる分包データが含まれるときに当該分包データを抽出する分包データ抽出手段と、
抽出した前記分包データのそれぞれの分量に基づいて、同一回転テーブル上で異なる分量の前記散剤をそれぞれ分割し、分包紙に包装すべく、回転テーブル上の分割範囲を変更する分割範囲変更手段とを具備し、
前記分割範囲変更手段は、前記分割範囲を、分包データの散剤を服用される順に分包する交互分包で設定することを特徴とする薬剤分包機の制御装置。
【請求項４】
入力された患者毎の処方箋データの中に、同一患者に処方される散剤であって１包あたりの分量が異なる分包データが含まれるときに当該分包データを抽出する分包データ抽出手段と、
抽出した前記分包データのそれぞれの分量に基づいて、同一回転テーブル上で異なる分量の前記散剤をそれぞれ分割し、分包紙に包装すべく、回転テーブル上の分割範囲を変更する分割範囲変更手段とを具備し、
前記分割範囲変更手段は、前記分割範囲を、分包データの散剤を服用される順に分包する交互分包、又は、分包データの散剤のうち同じ服用時間帯の散剤を服用される順に分包する連続分包の何れかを選択して設定することを特徴とする薬剤分包機の制御装置。
【発明の詳細な説明】
【技術分野】
【０００１】
本発明は、入力された処方箋データに基づいて散剤を分包する薬剤分包機及び該薬剤分包機の制御装置に関する。
【背景技術】
【０００２】
各患者毎の処方箋に基づいて所定の分量を１回の服用分として所定の回数分だけ分包するために、処方箋をデータ化し、データ化された処方データに基づいてその処方毎に回転テーブルを用いて分包する薬剤分包機が公知である（例えば、特許文献１）。
【０００３】
このような薬剤分包機は、一般的に、患者毎に同一薬剤、同一分量の薬剤を分包する工程を１単位に行っている。すなわち、同一患者かつ同一薬剤かつ同一分量の薬剤について同一回転テーブル上にフィーダから薬剤が供給され、一度に分包することができる。また、複数の患者の処方箋データがある場合は、当該処方箋データにある薬剤の種類が何であっても前の患者分の分包工程が終了した後、次の患者分の分包工程を開始する。このため、同処方の薬剤の処方が続く場合は、当該薬剤分包機における処理の効率が低下することとなっていた。
【０００４】
このような問題を解決する手段として患者が異なっても同処方の薬剤であり、回転テーブルの分割範囲に余裕があれば、同じ回転テーブル上で続けて分包作業を行うことができる薬剤分包機も公知となっている（例えば、特許文献２）。
【先行技術文献】
【特許文献】
【０００５】
【特許文献１】特開平１０−１２９６１６号公報
【特許文献２】特許第３３７７６９１号公報
【発明の概要】
【発明が解決しようとする課題】
【０００６】
しかし、上記従来技術には問題があった。すなわち、処方箋によっては、一人の患者に対する処方について同種の散剤であっても１回の分量が異なる処方する場合がある。例えば、朝・昼・夜の１日３回処方する薬剤であって、夜分のみ分量を多く処方する場合がある。
【０００７】
従来においては、このような同一患者に対して１包あたりの分量のみ異なる薬剤を処方する場合、分量が異なる分包処理（例えば、朝・昼分の分包処理と夜分の分包処理と）を同時に行うことができず、分包処理を複数回（例えば、２回）に分ける必要があった。このような分包処理は、回転テーブルの稼動効率が悪く、同様の処方が続けば薬剤分包機の作業効率が低下してしまう問題があった。
【０００８】
本発明は、かかる従来技術の問題点を解決するべくなされたもので、同一患者に対する薬剤であって１包あたりの分量が異なる処方を有する場合であっても効率よく分包処理を行うことができる薬剤分包機及び該薬剤分包機の制御装置を提供することを目的とする。
【課題を解決するための手段】
【０００９】
本発明に係る薬剤分包機は、入力された患者毎の処方箋データの中に、同一患者に処方される散剤であって１包あたりの分量が異なる分包データが含まれるときに、当該分包データを抽出する分包データ抽出手段と、抽出した前記分包データのそれぞれの分量に基づいて、回転テーブル上の分割範囲を変更する分割範囲変更手段と、前記分割範囲に基づいて、同一回転テーブル上で異なる分量の前記散剤をそれぞれ分割し、分包紙に包装する分包手段とを具備し、前記分割範囲変更手段は、前記分割範囲を、分包データの散剤を服用される順に分包する交互分包で設定するものである。
【００１０】
本発明に係る薬剤分包機においては、分包データ抽出手段により、患者の処方箋データ毎に分包データが検索され、同一患者に対して処方される分量の異なる散剤についての分包データが抽出される。分割範囲変更手段は、抽出された分包データのそれぞれの分量に基づいて、回転テーブルの分割範囲を変更し、前記分割範囲を、分包データの散剤を服用される順に分包する交互分包で設定する。分包データの散剤は、前記分割範囲に基づいて、分包手段により、同一回転テーブル上で異なる分量に分割され、分包紙にそれぞれ包装される。
【００１１】
このように、同一患者の処方箋データ内において１包あたりの分量が異なる散剤についての分包データを抽出し、同一回転テーブル上で異なる分量に分割・包装することにより、同一患者に対する薬剤であって１包あたりの分量が異なる処方を有する場合であっても効率よく交互分包で分包処理を行うことができる。
【００１２】
また、本発明に係る薬剤分包機は、入力された患者毎の処方箋データの中に、同一患者に処方される散剤であって１包あたりの分量が異なる分包データが含まれるときに当該分包データを抽出する分包データ抽出手段と、抽出した前記分包データのそれぞれの分量に基づいて、回転テーブル上の分割範囲を変更する分割範囲変更手段と、前記分割範囲に基づいて、同一回転テーブル上で異なる分量の前記散剤をそれぞれ分割し、分包紙に包装する分包手段とを具備し、前記分割範囲変更手段は、前記分割範囲を、分包データの散剤を服用される順に分包する交互分包、又は、分包データの散剤のうち同じ服用時間帯の散剤を服用される順に分包する連続分包の何れかを選択して設定するものである。
【００１３】
係る薬剤分包機においては、分包データ抽出手段により、患者の処方箋データ毎に分包データが検索され、同一患者に対して処方される分量の異なる散剤についての分包データが抽出される。分割範囲変更手段は、抽出された分包データのそれぞれの分量に基づいて、回転テーブルの分割範囲を変更し、前記分割範囲を、分包データの散剤を服用される順に分包する交互分包、又は、分包データの散剤のうち同じ服用時間帯の散剤を服用される順に分包する連続分包の何れかを選択して設定する。分包データの散剤は、前記分割範囲に基づいて、分包手段により、同一回転テーブル上で異なる分量に分割され、分包紙にそれぞれ包装される。
【００１４】
このように、同一患者の処方箋データ内において１包あたりの分量が異なる散剤についての分包データを抽出し、同一回転テーブル上で異なる分量に分割・包装することにより、同一患者に対する薬剤であって１包あたりの分量が異なる処方を有する場合であっても効率よく交互分包又は連続分包の何れかを選択して分包処理を行うことができる。
【００１５】
また、本発明に係る薬剤分包機の制御装置は、入力された患者毎の処方箋データの中に、同一患者に処方される散剤であって１包あたりの分量が異なる分包データが含まれるときに当該分包データを抽出する分包データ抽出手段と、抽出した前記分包データのそれぞれの分量に基づいて、同一回転テーブル上で異なる分量の前記散剤をそれぞれ分割し、分包紙に包装すべく、回転テーブル上の分割範囲を変更する分割範囲変更手段とを具備し、前記分割範囲変更手段は、前記分割範囲を、分包データの散剤を服用される順に分包する交互分包で設定するものである。
【００１６】
また、本発明に係る薬剤分包機の制御装置は、入力された患者毎の処方箋データの中に、同一患者に処方される散剤であって１包あたりの分量が異なる分包データが含まれるときに当該分包データを抽出する分包データ抽出手段と、抽出した前記分包データのそれぞれの分量に基づいて、同一回転テーブル上で異なる分量の前記散剤をそれぞれ分割し、分包紙に包装すべく、回転テーブル上の分割範囲を変更する分割範囲変更手段とを具備し、前記分割範囲変更手段は、前記分割範囲を、分包データの散剤を服用される順に分包する交互分包、又は、分包データの散剤のうち同じ服用時間帯の散剤を服用される順に分包する連続分包の何れかを選択して設定するものである。
【発明の効果】
【００１７】
本発明に係る薬剤分包機及び該薬剤分包機の制御装置によれば、同一患者の処方箋データ内において１包あたりの分量が異なる散剤についての分包データを抽出し、同一回転テーブル上で異なる分量に分割・包装することにより、同一患者に対する薬剤であって１包あたりの分量が異なる処方を有する場合であっても効率よく分包処理を行うことができる。
【図面の簡単な説明】
【００１８】
【図１】本発明の一実施形態における薬剤分包機の上部カバーを取り除いた平面図である。
【図２】図１の薬剤分包機における散剤の分包態様を説明するための概略側面図である。
【図３】本実施形態の薬剤分包機における分包態様を説明するためのフロー図である。
【図４】図１の薬剤分包機の回転テーブルにおける散剤の分割範囲を示す概念図である。
【発明を実施するための形態】
【００１９】
以下、添付図面を参照しつつ、本発明を実施するための最良の形態を説明する。図１は本発明の一実施形態における薬剤分包機の上部カバーを取り除いた平面図である。また、図２は図１の薬剤分包機における散剤の分包態様を説明するための概略側面図である。
【００２０】
本実施形態の薬剤分包機１は、図１および図２に示すように、散剤分割用の回転テーブル２が設けられている。この回転テーブル２は、環状の凹局面を有する散剤受け溝３を有し、水平に保持されている。また、回転テーブル２は、ステッピングモータ（図示せず）等により回転可能に取り付けられている。この回転テーブル２の前部上方には、その回転テーブル２上の散剤受け溝３に散剤を供給するための振り撒き口５を有するフィーダ４が設けられている。
【００２１】
回転テーブル２の上方には、当該回転テーブル２を跨ぐように支持アーム７が設けられている。この支持アーム７の一端には、掻き出し部材６として掻き落とし羽根９と、円形の仕切り板１０とが回転軸８を同心軸として取り付けられている。また、支持アーム７の他端側には、散剤受け溝３清掃用の清掃ヘッド１１が設けられている。回転テーブル２の上側には、当該回転テーブル２を横断するように複数（例えば、４８個）の分割枠１３から構成される固形剤分割供給部１２が設けられている。この分割枠１３の底板１４は、固形剤分割供給部１２の下側に設けられているシュート１５の上で順次、間欠開口し、分割枠１３内にある固形剤がシュート１５を通じて分包可能となっている。
【００２２】
一方、掻き出し部材６の下側には、ホッパ１６が設けられ、さらにその下方に包装部１７（図２）が配設される。これにより、掻き落とし羽根９で掻き出された散剤受け溝３上の散剤および／またはシュート１５から供給される固形剤分割供給部１２の固形剤が、それぞれホッパ１６を通じて包装部１７により１包ずつ分包される。
【００２３】
そして、本実施形態の薬剤分包機１は、図２に示すように、入力された患者毎の処方箋データの中に、同一患者に処方される散剤であって１包あたりの分量が異なる分包データが含まれるときに当該分包データを抽出する分包データ抽出手段としての制御部１９と、抽出した前記分包データのそれぞれに基づいて、回転テーブル２の分割範囲（後述）を変更し、それぞれ設定する分割範囲変更手段としての回転制御部２０とを具備し、前述の掻き出し部材６、ホッパ１６および包装部１７より構成される分包手段１８により、設定されたそれぞれの前記分割範囲に基づいて、同一回転テーブル２上で異なる分量の前記散剤をそれぞれ分割し、分包紙に包装するものである。
【００２４】
図３は本実施形態の薬剤分包機における分包態様を説明するためのフロー図である。薬剤分包機１は、ケーブルを介してホストコンピュータ２１に接続されており、このホストコンピュータ２１から患者毎の処方箋データをＣＰＵ、メモリ等により構成される制御部１９に順次受信可能となっている。ホストコンピュータ２１から処方箋データを受信（ステップＳ１）した制御部１９（すなわち、分包データ抽出手段）は、制御部１９内のメモリ（図示せず）に一時記憶し、患者の処方箋データ毎に分包データを検索する。そして、一患者の処方箋データ中に、１包あたりの分量が異なる散剤についての分包データが存在する場合（ステップＳ２）、該当する分包データを抽出し（ステップＳ３）、分割範囲変更手段としての回転制御部２０に伝達する（ステップＳ４）。回転制御部２０は、回転テーブル２を駆動するステッピングモータを位置制御するためのＣＰＵ等により構成される。回転制御部２０は、抽出された分包データのそれぞれに基づいて、回転テーブル２の分割範囲（後述）を変更し、それぞれ設定する（ステップＳ５）。
【００２５】
ここで、回転テーブル２の分割範囲の変更方法について説明する。図４は図１の薬剤分包機の回転テーブルにおける散剤の分割範囲を示す概念図である。
【００２６】
本実施形態において、前記分割範囲変更手段としての回転制御部２０は、前記回転テーブル２の送りピッチを変更することにより、分割範囲を変更するように構成される。具体的に説明する。
【００２７】
ある患者（甲）の処方箋データに、散剤ａ−１ｇ（朝、昼食後）および散剤ａ−２ｇ（夕食後）それぞれ５日分が含まれているとする。すなわち、患者甲の処方箋データには、１包あたりの分量が異なる散剤ａが含まれていることとなる。
【００２８】
この場合、まず、分包すべき５日分の散剤が回転テーブル２上の散剤受け溝３に略均一に載置された際に１回分（朝食後、昼食後、夕食後のそれぞれ）の分量を有する範囲が分割範囲として設定される。朝食後、昼食後、および夕食後の散剤ａの分量比が朝：昼：夕＝１（ｇ）：１（ｇ）：２（ｇ）であるので、朝食後の１回分における分割範囲３０Ｍは、１８°（３６０°×１／４×１／５）となり、昼食後の１回分における分割範囲３０Ｎは、１８°（同様）となり、夕食後の１回分における分割範囲３０Ｅは、３６°（３６０°×２／４×１／５）となる。
【００２９】
図３においては、１日目の朝食後→昼食後→夕食後（以上、領域３０１）→２日目の朝食後→昼食後→…→５日目の夕食後（…→領域３０５）といった順に分包（交互分包）すべく、分割範囲３０Ｍ，３０Ｎ，３０Ｅ，３０Ｍ，３０Ｎ，３０Ｅ，…が順に領域設定される。そして、当該設定された分割範囲３０Ｍ，３０Ｎ，３０Ｅにおける散剤ａ毎に包装部１７において搬送されてきた分包シート（図示せず）によって１包ずつ分包されるべく回転テーブル２の送りピッチが変更される。
【００３０】
このように回転テーブル２の送りピッチのみを変更することにより分割範囲３０Ｍ，３０Ｎ，３０Ｅを変更するので、既存装置をそのまま利用し、ソフトウェアを変更または追加するだけで、実現可能であるため、製造コストまたは導入コストの増大を抑制することができる。
【００３１】
ステップＳ５の後、分包データの散剤は、設定されたそれぞれの前記分割範囲３０Ｍ，３０Ｎ，３０Ｅに基づいて、分包手段１８により、同一回転テーブル２上で異なる分量に分割され、分包紙にそれぞれ包装される（ステップＳ６）。
【００３２】
まず、回転テーブル２上の散剤受け溝３に、当該回転テーブル２を一定速度で回転させつつフィーダ４の振り撒き口５から散剤を一定供給させることにより、所定量の散剤が散剤受け溝３上に略均一に載置される。本例においては、計２０ｇ（（１ｇ＋１ｇ＋２ｇ）×５日分）の散剤ａがフィーダ４から供給される。
【００３３】
次に、回転制御部２０は、設定されたステッピングモータのパルス幅によって回転テーブル２を１８°（分割範囲３０Ｍ分）回転させるとともに、掻き出し部材６の掻き落とし羽根９を回転軸８を中心に回転させる。これにより、分割範囲３０Ｍに載置されてある所定量（１ｇ）の散剤ａが、掻き出し部材６の仕切り板１０で堰き止められつつ掻き落とし羽根９の回転によってホッパ１６へ落とされ、包装部１７により、１日目の朝食後用の１包分として分包される。さらに、回転制御部２０は、回転テーブル２を１８°（分割範囲３０Ｎ分）回転させ、同様に分割範囲３０Ｎに載置されてある１ｇの散剤ａが１日目の昼食後用の１包分として分包される。
【００３４】
続いて、回転制御部２０は、ステッピングモータのパルス幅を変更して回転テーブル２を３６°（分割範囲３０Ｅ分）回転させ、分割範囲３０Ｅに載置されてある２ｇの散剤ａが１日目の夕食後用の１包分として分包される。こうして、領域３０１にある１日分の散剤ａが１回分毎に分包される。以下同様に、２日目分（領域３０２）以降も分包処理を繰り返す。そして、回転テーブル２が１回転すれば、処方量である５日分（領域３０５まで）の分包（すなわち、１処方分の処理）が終了することとなる。
【００３５】
以上のように、同一患者の処方箋データ内において１包あたりの分量が異なる散剤についての分包データを抽出し、同一回転テーブル２上で異なる分量に分割・包装することにより、同一患者に対する薬剤であって１包あたりの分量が異なる処方を有する場合であっても効率よく分包処理を行うことができる。
【００３６】
なお、本実施形態においては、朝食後、昼食後、夕食後を１日毎（１回毎）に分包する交互分包について説明したが、１日目の朝食後→２日目の朝食後→…１日目の昼食後→２日目の昼食後→…１日目の夕食後→２日目の夕食後→…→５日目の夕食後といった順に朝食後、昼食後、夕食後をそれぞれ所定回数分（例えば、５日分）を連続して分包（連続分包）すべく、分割範囲３０Ｍ…３０Ｍ，３０Ｎ…３０Ｎ，３０Ｅ…３０Ｅが順に領域設定されることとしてもよい。
【００３７】
また、本実施形態においては、同一患者の処方箋データ内において一種類の散剤ａが分量の異なる分包データを含んでいる場合を説明したが、複数種類の散剤であって分量の異なる分包データを含んでいる場合であっても同様に適用可能である。
【００３８】
また、本実施形態においては、回転テーブル２が１つの薬剤分包機１について主に説明したが、回転テーブル２を複数有する薬剤分包機においても適用可能であり、この場合、より効率よく迅速に分包作業を行うことができる。
【００３９】
なお、本発明に係る薬剤分包機は、入力された患者毎の処方箋データの中に、同一患者に処方される散剤であって１包あたりの分量が異なる分包データが含まれるときに、当該分包データを抽出する分包データ抽出手段と、抽出した前記分包データのそれぞれに基づいて、回転テーブル上の分割範囲を変更し、それぞれ設定する分割範囲変更手段と、設定された前記分割範囲に基づいて、同一回転テーブル上で異なる分量の前記散剤をそれぞれ分割し、分包紙に包装する分包手段とを具備するものであっても良い。
【００４０】
係る薬剤分包機においては、分包データ抽出手段により、患者の処方箋データ毎に分包データが検索され、同一患者に対して処方される分量の異なる散剤についての分包データが抽出される。分割範囲変更手段は、抽出された分包データのそれぞれに基づいて、回転テーブルの分割範囲を変更し、それぞれ設定する。分包データの散剤は、設定されたそれぞれの前記分割範囲に基づいて、分包手段により、同一回転テーブル上で異なる分量に分割され、分包紙にそれぞれ包装される。
【００４１】
このように、同一患者の処方箋データ内において１包あたりの分量が異なる散剤についての分包データを抽出し、同一回転テーブル上で異なる分量に分割・包装することにより、同一患者に対する薬剤であって１包あたりの分量が異なる処方を有する場合であっても効率よく分包処理を行うことができる。
【００４２】
また、好ましくは、前記分割範囲変更手段は、前記回転テーブルの送りピッチを変更することにより、分割範囲を変更するように構成されても良い。
【００４３】
この場合、既存装置をそのまま利用し、ソフトウェアを変更または追加するだけで、実現可能であるので、製造コストまたは導入コストの増大を抑制することができる。
【００４４】
また、本発明に係る薬剤分包機の制御装置は、入力された患者毎の処方箋データの中に、同一患者に処方される散剤であって１包あたりの分量が異なる分包データが含まれるときに当該分包データを抽出する分包データ抽出手段と、抽出した前記分包データのそれぞれに基づいて、同一回転テーブル上で異なる分量の前記散剤をそれぞれ分割し、分包紙に包装すべく、回転テーブル上の分割範囲を変更し、それぞれ設定する分割範囲変更手段とを具備するものであっても良い。
【符号の説明】
【００４５】
１…薬剤分包機、２…回転テーブル、１８…分包手段、１９…制御部、２０…回転制御部（分割範囲変更手段）、３０Ｍ，３０Ｎ，３０Ｅ…分割範囲
【図１】
2010159090.tif 000003
【図２】
2010159090.tif 000004
【図３】
2010159090.tif 000005
【図４】
2010159090.tif 000006